(57)【要約】【課題】従来技術の問題点を解決する。【解決手段】締結器具ならびに第１の端および第２の端および少なくとも一方の面にある係合構造を有する締結バンドと、第１の端の領域にて締結バンドに装着されると共に締結バンドの第２の端を案内可能に通すハウジングおよび係合構造と係合可能であるハウジングの係合部材を有する張力付与ヘッドとを含む締結器具を連結する方法。係合部材は、可撓性連結部によりハウジングに連結され、係合部材がハウジングを通して締結バンドを引っ張ることができる引き通し位置と、締結ねじ部材を係合構造と係合させることができる係合位置との間を回動可能となっている。【選択図】図３ｂ
2014142063.tif 000002
【特許請求の範囲】
【請求項１】
第１の端および第２の端および少なくとも一方の面にある係合構造を有する締結バンドと、
前記第１の端の領域にて前記締結バンドに装着されて前記締結バンドの第２の端を案内可能に通すハウジングおよび前記係合構造と係合可能な前記ハウジングの係合部材を有する張力付与ヘッドと
を具え、前記係合部材は可撓性連結部により前記ハウジングに連結され、前記係合部材が前記ハウジングを通して前記締結バンドを引っ張ることができる引き通し位置と、前記締付けねじ部材を前記係合構造と係合させることができる係合位置との間を回動可能となっていることを特徴とする締結器具。
【請求項２】
前記係合部材が締付けねじ部材を具えていることを特徴とする請求項１に記載の締結器具。
【請求項３】
前記締付けねじ部材が長手方向軸線を有し、前記可撓性連結部がこの長手方向軸線に沿った前記締付けねじ部材の移動を可能にすることを特徴とする請求項２に記載の締結器具。
【請求項４】
前記締付けねじ部材が前記ハウジングに係留されていることを特徴とする請求項２に記載の締結器具。
【請求項５】
前記締付けねじ部材がねじ部と、第１の端の先端と、第２の端のねじり接触構造とを有し、前記可撓性連結部が前記先端の領域に配されていることを特徴とする請求項２に記載の締結器具。
【請求項６】
前記締付けねじ部材が前記ハウジングの開口へと挿入可能な前記ねじ部に連結される突起を有し、この突起が前記ねじ部の反対端に拡大部を有することを特徴とする請求項５に記載の締結器具。
【請求項７】
前記ねじ部と前記拡大部との間で前記突起が滑らかであることを特徴とする請求項６に記載の締結器具。
【請求項８】
前記ハウジングの開口は、前記先端が突出する長穴を具えていることを特徴とする請求項７に記載の締結器具。
【請求項９】
前記長穴は前記締結バンドに直交する前記締結ねじ部材の移動を可能にすることを特徴とする請求項８に記載の締結器具。
【請求項１０】
前記締結ねじ部材は前記ねじ部と前記ねじり接触構造との間にある中間部を有し、前記ハウジングは前記締結バンドから所定距離にある内側端縁を有し、前記中間部はそれが前記引き通し位置における前記ハウジングの内側端縁に対して押し当たるようになる増径部を有することを特徴とする請求項５に記載の締結器具。
【請求項１１】
前記締付けねじ部材は、前記ねじ部と反対の前記中間部側に増径部を持つ円錐形外面を具え、この円錐形外面は前記ハウジングの入口開口にある斜面と相互作用するように構成されていることを特徴とする請求項１０に記載の締結器具。
【請求項１２】
請求項１に記載の締結器具を部材に連結する方法であって、
前記締結器具をこれが連結される前記部材の領域に位置決めすることと、
締結バンドの第２の端を前記部材の周りに導くことと、
係合部材を係合位置へと回動することと、
ハウジングを通して前記第２の端を導くことと、
前記係合部材を引き通し位置へと回動させ、これにより前記係合部材を係合構造に係合させることと
を具えたことを特徴とする方法。
【請求項１３】
前記係合構造がねじ部と、第１の端の先端と、第２の端のねじり接触構造とを有する締付けねじ部材を具え、この方法はまた、前記ねじり接触構造を回転して前記部材の周りに前記締結バンドの締め付けをもたらすことをさらに具えたことを特徴とする請求項１２に記載の方法。
【請求項１４】
前記締付けねじ部材が長手方向軸線を有し、この締付けねじの長手方向軸線が前記ハウジング内で前記先端の領域にて回動可能であることを特徴とする請求項１３に記載の方法。
【請求項１５】
締結器具を部材に連結する方法であって、前記締結器具が係合構造を持つ締結バンドと係合部材を持つハウジングとを有し、前記締結バンドの一端領域が前記ハウジングに固定され、
前記締結器具をこれが連結される部材の領域に位置決めすることと、
前記締結バンドの自由端を前記部材の周りに導くことと、
前記係合部材を空間が形成された引き通し位置へと回動させ、第２の端が前記係合部材に係合することなく前記ハウジングを通過することと、
前記空間を通して前記第２の端を導くことと、
前記係合部材を係合位置へと回動し、これにより前記係合部材を前記係合構造に係合させることと
を具えたことを特徴とする方法。
【請求項１６】
前記係合構造は、ねじ部と、第１の端の先端と、第２の端のねじり接触構造とを有する締付けねじ部材を具え、この方法はまた、前記ねじり接触構造を回転して前記部材の周りに前記締結バンドの締め付けをもたらすことをさらに具えたことを特徴とする請求項１５に記載の方法。
【請求項１７】
前記締付けねじ部材は長手方向軸線を有し、この締付けねじの長手方向軸線が前記ハウジング内で前記先端の領域にて回動可能であることを特徴とする請求項１６に記載の方法。
【請求項１８】
前記締付けねじ部材は前記ねじ部に連結された突起を有し、この突起は前記ねじ部の反対端に拡大部を有し、前記ハウジングは前記突起が延在する開口を有することを特徴とする請求項１６に記載の方法。
【請求項１９】
前記ハウジングは前記引き通し位置の範囲を規定するように設けられた内側端縁を含むことを特徴とする請求項１５に記載の締結器具。
【請求項２０】
前記係合部材が支持部材を含むと共に前記ハウジングが相互と接触する支持面を含み、前記係合部材が前記引き通し位置から前記係合位置まで回動した場合にこれらが相互に接することを特徴とする請求項１５に記載の方法。
【発明の詳細な説明】
【技術分野】
【０００１】
〔関連出願に対する相互参照〕
本出願は、２０１３年１月２３日に提出したドイツ特許出願第１０２０１３００１ １２５.６号の合衆国法典第３５巻第１１９条による優先権を請求し、ここでその開示の全体を参照することによって明確に組み入れられる。
【０００２】
本発明は、第１の端および第２の端を有する締結バンドと、第１の端の領域で締結バンドに装着されると共に締結バンドの第２の端を通して案内することができるハウジングを有する張力付与ヘッドとを持った締結器具に関する。締結バンドは、その少なくとも一方の面にハウジングの係合部材と係合させることができる係合構造を有する。
【背景技術】
【０００３】
この型の締結器具は、ケーブルまたは配管の束を一まとめにするか、またはホルダーにこの手の束か単一のケーブルだけを装着するためのケーブルタイとして例えば用いられる。この目的のため、締結バンドは相互に連結される部品の周りに導かれる。次に、締結バンドの第２の端が張力付与ヘッドのハウジングへと挿入されてハウジングを通して引っ張られ、係合部材が締結バンドの表面にある係合構造と係合するようになっている。ほとんどの場合、この係合を再び解除することはできないか、または相当な労力を伴って再び解除することのみできるだけである。大部分の場合、締結バンドを用いて限定された張力のみを径方向内側に加えることができるだけであり、ケーブルを一まとめにするためには確かに充分ではあるが、別な使用目的のためには充分ではない場合がある。これはまた、締結バンドを締め付けるために工具、例えばプライヤーを用いた場合でも当てはまる。
【発明の概要】
【発明が解決しようとする課題】
【０００４】
しかしながら、この型の締結器具はハウジングへと挿入される締結バンドによって画成される空間を比較的広い範囲に亙り単純な方法で迅速に変更することができるという利点を有する。この変更は、ハウジングを通した締結バンドの第２の端を引っ張ることによって簡単に行われる。
【０００５】
本発明の実施形態は、あらかじめ決められた直径の変更能力を持つ締結器具のために高い引張り力を実現することに向けられる。
【課題を解決するための手段】
【０００６】
従って、最初に述べた型の締結器具は、可撓性連結部によってハウジングに連結される締付けねじ部材として具体化した係合部材を含む。この締結ねじ部材は、ハウジングを通して締結バンドを引っ張ることができる引き通し位置と、締結ねじ部材が係合構造と係合する係合位置との間を回動することができる。
【０００７】
この型の締結器具に関し、ケーブルタイの利点がクランプ、例えばホース締め金またはウォーム駆動締め金の利点と組み合わされる。望ましい内径が達成されるまでハウジングを介して締結バンドの第２の端を単に引っ張ることにより、困難性なく、締結バンドで囲まれた空間の直径を迅速に変更することが可能である。この引き通し操作の間、締結ねじ部材は引き通し位置に置かれる。対象物か、または周りに締結バンドが導かれる対象物によって形成される限界まで、ハウジングを介して締結バンドを引っ張った場合、次に締結ねじ部材を回すことによってより高い引張り力を加えるため、この締結ねじ部材を用いることができる。この目的のため、締付けねじ部材を係合位置へと回動または旋回させる。締付けねじ部材が可撓性連結部を介してハウジングに連結されるため、困難性なく、この型の回動動作が可能である。純粋の移動動作と比較すると、この回動動作は、締付けねじ部材と係合構造との間の係合の達成ならびにこの係合の解除を制御された方法にて行うことができるという利点を有する。この係合は、締結ねじ部材を係合位置へと回動させる場合に可撓性連結部の近接にて始まる。引き通し位置への回動中に、締結ねじ部材は何れのの場合であっても、そのねじ山の大部分と共に係合構造から相対的に大きな距離を得ることができ、ハウジングを介して締結バンドが引っ張ることを著しく単純化する。
【０００８】
可撓性連結部は長手方向軸線に沿った締付けねじ部材の移動を可能にすることが好ましい。従って、この可撓性連結部は、締結バンドの係合構造から締結ねじ部材を外したり、あるいは逆に係合をもたらすことをさらにより容易にするように、締結ねじ部材の付加的移動能力を可能にする。
【０００９】
締付けねじ部材をハウジングに係留することが特に好ましい。従って、締結バンドをハウジングから引き出した場合、締結ねじ部材をハウジングに保持するための何らかの特別な注意を払う必要がない。この損失防止手段を例えば可撓性連結部によって形成することができる。
【００１０】
締付けねじ部材は、ねじ部と、一端の先端と、他端のねじり接触構造とを好ましくは有する。可撓性連結部は、締結ねじ部材の先端の領域に配される。この場合、締結ねじ部材は係合位置への移動中に最初にねじ部と、そして締結ねじ部材の先端に隣接する締結バンドの係合構造と係合する。この点で、可撓性連結部に対して最小のレバーアームがもたらされるとしても、この係合がもともと相対的に高い力を伴って行われることができるようになっている。
【００１１】
ここで、締付けねじ部材はねじ部に連結される突起を有することが好ましく、ハウジングの開口へと挿入されるこの突起は、ねじ部から離れたその対向端に拡大部を有する。そして、この突起は可撓性連結部の一部を形成する。この可撓性連結部は、ハウジングに対する締付けねじ部材の回動およびハウジングに対する締付けねじ部材のさらなる平行移動の両方を共に可能にする。この拡大部は損失防止手段の一部を形成する。
【００１２】
突起は、ねじ部と拡大部との間で滑らかであることが好ましい。従って、より高い摩擦力または実際の嵌合から生ずる力なしで、締付けねじ部材をハウジングの開口に対して動かすことができる。
【００１３】
締付けねじ部材の先端が突出するハウジングの開口を長穴として具体化することが好ましい。この長穴は、その長手方向軸線に対して横切るような締付けねじ部材の移動を可能にする。従って、長穴はハウジングにおける締付けねじ部材の移動能力をさらに増大させる。突起が充分な長さを有する場合、締付けねじ部材をハウジングに対し充分離して回動させることも可能である。
【００１４】
ここで、長穴は締結バンドに対して直角に締結ねじ部材の移動を可能にすることが特に好ましい。この可撓性の結果として、締結ねじ部材と締結バンドとの間に係合をもたらしたり、この係合を一度再び解除することがとりわけ容易である。また、締結バンドによって何らかの引っ張りが締結ねじ部材に加えられる場合、ハウジングは締結ねじ部材を締結バンドの係合構造の方向に導くことができる傾斜面を便宜的に有する。また、この傾斜面は長穴の案内により締結ねじ部材を径方向内側に動かし、締結バンドとの係合がさらに強化されるようになっている。
【００１５】
好ましくは、ねじ部とねじり接触構造との間の締結ねじ部材は、引き通し位置にてハウジングの内側端縁に対して支持するようになる増径部を持った中間部を有し、この内側端縁は締結バンドから引き離される。直径の増大のため、締結ねじ部材をその回転軸線に沿ってハウジングへと移動させると、締結ねじ部材はねじり接触構造に隣接するその端部によって締結バンドにより近付くように移動する。従って、締結ねじ部材と締結バンドとの間の係合が強化される。
【００１６】
ここで、締付けねじ部材が、円錐形外面を持つ増径部をねじ部から離れて対向する中間部の側に有することが好ましい。この円錐形外面は、ハウジングの入口開口の斜面と相互に作用する。締結ねじ部材がその回転軸線に沿ってハウジングに押し付けられた場合、これに続いて外面に沿って滑動する増径部は、ねじ部材が増径部により径方向内側の締結バンドの方向に動かされ、締結ねじ部材と締結バンドの係合構造との間の係合を最終的にねじ部の全長に亙って生じさせることができるようになっている。
【００１７】
本発明の実施形態は、第１の端および第２の端および少なくとも一方の面にある係合構造を有する締結バンドと、第１の端の領域にて締結バンドに装着されて締結バンドの第２の端を案内可能に通すハウジングおよび係合構造と係合可能なハウジングの係合部材を有する張力付与ヘッドとを含む締結器具に向けられる。係合部材は可撓性連結部によりハウジングに連結され、係合部材がハウジングを通して締結バンドを引っ張ることができる引き通し位置と、締付けねじ部材を係合構造と係合させることができる係合位置との間を回動可能となっている。
【００１８】
実施形態において、係合部材は締付けねじ部材を含むことができる。
【００１９】
他の実施形態によると、締付けねじ部材は長手方向軸線を有することができ、可撓性連結部はこの長手方向軸線に沿った締付けねじ部材の移動を可能にすることができる。
【００２０】
他の実施形態において、締付けねじ部材をハウジングに係留することができる。
【００２１】
本発明のまた他の実施形態によると、締付けねじ部材は、ねじ部と、第１の端の先端と、第２の端のねじり接触構造とを有することができ、可撓性連結部を先端の領域に配することができる。締付けねじ部材はハウジングの開口へと挿入可能なねじ部に連結される突起を有することができ、この突起はねじ部の反対端に増径部を有することができる。さらにまた、ねじ部と増径部との間で突起が滑らかであってよい。またさらに、ハウジングの開口は先端が突出する長穴を含むことができる。この長穴は締結バンドに直交する締結ねじ部材の移動を可能にすることができる。
【００２２】
この発明のさらなる実施形態によると、締結ねじ部材はねじ部とねじり接触構造との間にある中間部を有することができ、ハウジングは締結バンドから所定距離にある内側端縁を有することができ、中間部はそれが引き通し位置におけるハウジングの内側端縁に対して押し当たるようになる増径部を有することができる。さらに、締付けねじ部材は、ねじ部と反対の中間部側に増径部を持つ円錐形外面を含むことができる。この円錐形外面をハウジングの入口開口にある斜面と相互作用するように構成することができる。
【００２３】
本発明のさらなる実施形態は、上述した締結器具を部材に連結する方法に向けられる。この方法は、締結器具をこれが連結される部材の領域に位置決めすることと、締結バンドの第２の端を部材の周りに導くことと、係合部材を係合位置へと回動することと、ハウジングを通して第２の端を導くことと、係合部材を引き通し位置へと回動させ、これにより係合部材を係合構造に係合させることとを含む。さらに、係合構造がねじ部と、第１の端の先端と、第２の端のねじり接触構造とを有する締付けねじ部材を含み、この方法はまた、ねじり接触構造を回転して部材の周りに締結バンドの締め付けをもたらすことをさらに含むことができる。締付けねじ部材が長手方向軸線を有することができ、この締付けねじの長手方向軸線がハウジング内で先端の領域にて回動可能であることができる。
【００２４】
本発明の実施形態は、締結器具を部材に連結する方法に向けられ、この締結器具は係合構造を持つ締結バンドと係合部材を持つハウジングとを有し、締結バンドの一端領域がハウジングに固定される。この方法は、締結器具をこれが連結される部材の領域に位置決めすることと、締結バンドの自由端を部材の周りに導くことと、係合部材を空間が形成された引き通し位置へと回動させ、第２の端が係合部材に係合することなくハウジングを通過することと、空間を通して第２の端を導くことと、係合部材を係合位置へと回動し、これにより係合部材を係合構造に係合させることとを含む。
【００２５】
実施形態によると、係合構造は、ねじ部と、第１の端の先端と、第２の端のねじり接触構造とを有する締結ねじ部材を含むことができ、この方法はまた、ねじり接触構造を回転させて部材の周りに締結バンドの締め付けをもたらすことをさらに含むことができる。さらに、締付けねじ部材は長手方向軸線を有することができ、この締付けねじの長手方向軸線はハウジング内で先端の領域にて回動可能であることができる。またさらに、締付けねじ部材はねじ部に連結される突起を有することができ、この突起はねじ部の反対端に増径部を有することができ、ハウジングはこの突起が延在する開口を有することができる。
【００２６】
また他の実施形態によると、ハウジングは引き通し位置に対する限度を規定するように設けられた内側端縁を含むことができる。
【００２７】
本発明のまたさらなる他の実施形態によると、係合部材は支持部材を含むことができると共にハウジングは支持面を含むことができ、これらは係合部材を引き通し位置から係合位置まで回動させた場合に相互に接することができる。
【００２８】
本開示および添付図面を再検討することにより、本発明の他の代表的な実施形態および利点を把握することができる。
【図面の簡単な説明】
【００２９】
【図１ａ】締結バンドと係合した締付けねじ部材を持つ締結器具を示す。
【図１ｂ】締結バンドと係合した締付けねじ部材を持つ締結器具を示す。
【図２ａ】締結バンドから外れた締結ねじ部材を持つ締結器具を示す。
【図２ｂ】締結バンドから外れた締結ねじ部材を持つ締結器具を示す。
【図３ａ】係合位置と引き通し位置との間の移行を説明するための描写を示す。
【図３ｂ】係合位置と引き通し位置との間の移行を説明するための描写を示す。
【発明を実施するための形態】
【００３０】
本発明は注釈した複数の図面を参照しつつ本発明の代表的な実施形態の限定しない例示により以下の詳細な説明にてさらに記述され、類似の参照符号は図面のいくつかの図を通して類似した部品を表している。
【００３１】
ここに示す詳細は、例示であって単に本発明の実施形態の説明のための検討の目的のためだけであり、本発明の原理および概念的形態の最も有用かつ容易に理解される説明であると確信したものを提供するために提示している。これに関し、本発明の構造的な詳細を本発明の基本的な理解のために必要とされるよりもさらに詳細に示すために行う意図はなく、図面を用いて行われるこの説明は、本発明の種々の形態をどのように実際に具体化することができるかについて、当業者らに対し明らかにする。
【００３２】
図１ａは、締結器具１を一部が断面となった概略側面図で示す。締結器具１はその径方向外側面の一部に、本形態において例えばウォーム駆動クランプにて知られているような型押しねじとして具体化された係合構造を持つ締結バンド２を有する。
【００３３】
締結バンド２は第１の端４と第２の端５とを有する。第１の端４の領域において、締結ねじ部材９のための収容空間８を持ったハウジング７を有する張力付与ヘッド６が装着されている。
【００３４】
ハウジング７および締結ねじ部材９を図１ｂと関係付けてさらに詳細に例示している。
【００３５】
締結ねじ部材９は、ねじ部１０と、一端にある先端１１と、他端にあるねじり接触構造１２とを有する。ねじり接触構造１２とねじ部１０との間には、中間部１３が設けられ、これは円錐形に具体化され、すなわちねじ部１０からねじり接触構造１２まで増径部を有する。中間部１３とねじり接触構造１２との間には、直径がねじり接触構造１２に向けて増大する円錐形外面を持った径増大部１４が設けられている。
【００３６】
突起１５が先端１１に向けてねじ部１０に接続し、突起１１は拡大部１６にて終わっている。具体化した突起１５は、ねじ部１０と拡大部１６との間で滑らかである。
【００３７】
ねじ部１０は突起１５に対向する端に配された円錐部１７を有する。ねじ部１０はまた、円錐部１７の前で終わらせることができ、従って円錐部１７にねじ部材をなくすることができるようになっている。
【００３８】
ハウジング７の収容空間８は、先端１１に隣接する端に内側円錐の一部を形成する傾斜面１８を有する。円錐部１７の角度および傾斜面１８の角度は、少なくともほぼ同じ寸法である。これらは完全に正確に同じ寸法であることが好ましい。
【００３９】
ハウジング７は、突起１５がこれを通って導かれる通過開口１９を有する。通過開口１９は長穴として具体化され、すなわちこれは環状に閉じた締結バンド２の軸線方向と平行な範囲よりも大きな範囲を締結バンド２と直交する方向に有する。締結バンド２の軸線方向と平行なこの範囲は拡大部１６の直径よりも小さく、締結ねじ部材９がハウジング７内に係留されるようになっている。
【００４０】
通過開口１９および突起１５は可撓性連結部を相互に形成する。この可撓性連結部は、ハウジング７に対し多数の自由度を持って締結ねじ部材９の移動を可能にする。これに関し、ねじ部材９はその軸線方向に沿ってハウジング７に対し移動することができ、この移動は一方において円錐部１７により、また他方において突起１５の拡大部１６により制限される。しかしながら、円錐部１７が傾斜面１８に接しないようになることができるのであれば、これで充分である。
【００４１】
さらにまた、可撓性連結部は締結バンド２に対して径方向外側に締結ねじ部材９の移動を可能にする。長穴として具体化される通過開口１９は、図３ａおよび図３ｂにて認識するることができるように、締結ねじ部材９がハウジング７に対して回動することを最終的に可能とする。図３ａおよび図３ｂにおいて係合位置に配された実線での締結ねじ部材９の描写は、図１ａおよび図１ｂでの締結ねじ部材９の描写に対応する。図３ａおよび図３ｂはまた、図２ａおよび図２ｂにて描写した引き通し位置ならびに係合位置と引き通し位置との間の位置における締結ねじ部材９を破線で示す。
【００４２】
図１ａおよび図１ｂの部材に対し、 図２ａおよび図２ｂおよび図３ａおよび図３ｂにおける同じ部材を同じ参照符号で記してある。
【００４３】
図２ａおよび図２ｂで描写した引き通し位置において、締結ねじ部材９は締結バンド２の係合構造３とは係合しておらず、ハウジング７を通して締結バンド２を自由に引っ張らることができるようになっている。この目的のため、ハウジング７は締結バンド２の第２の端５がねじ付きであってよい引き通し開口２０を有する。
【００４４】
ハウジング７の収容空間８は入口開口２１を有する。引き通し位置において、中間部１３は入口開口２１を画成する内側端縁２２に対して押し当たる。従って、中間部１３および内側端縁２２は締結ねじ部材９がハウジング７に対して達成することができる回動角を相互に制限する。ハウジング７の入口開口２１の外側は、傾斜した内面、すなわち斜面２３を有する。締結ねじ部材９を引き通し位置に位置させた場合、径増大部１４がハウジング７の傾斜内面２３の範囲のやや径方向外側に位置することを破線２４によって示す。
【００４５】
図１に例示した係合位置と、その逆の図２に例示した引き通し位置との間の締付けねじ部材の経路に関し、図３を用いて理解することができる。
【００４６】
係合位置において、円錐部１７はハウジング７の傾斜面１８に対して押し当たる。突起１５は、その全長が通過開口１９を通って導かれ、すなわち拡大部１６はハウジング７の外にできるだけ離れて突出している。ねじ部１０は締結バンド２の係合構造３と係合する。締結バンド２は、締結ねじ部材９が締結バンド２と係合する領域にハウジングベース２５によって支持される。ここではハウジングベース２５を締結バンド２の第１の端４の一部として例示している。しかしながら、ハウジングベース２５を締結バンド２に対して独立に具体化し、締結バンド２に連結することもまた、可能である。
【００４７】
締結ねじ部材９を回すことにより、ねじ部１０はハウジング７をさらに通して締結バンド２を動かすことができる。右ねじの場合、締結ねじ部材９の時計回りの回転は、締結バンド２のハウジング７への動きをもたらし、締結バンド２によって径方向内側に加えられる張力の増大を導く。同時に、締結バンド２はまた、周方向にも締め付けられる。それによって発生する引っ張りは、締結ねじ部材９を傾斜面１８に対してより強く押し付けることをもたらし、これによって締結ねじ部材９と締結バンド２との間の係合が強化される。
【００４８】
締結ねじ部材９の反時計回りの回転は、締結バンド２をハウジング７から外れるように動かす。それにより周方向への締結バンド２の引っ張りが減少し、締結ねじ部材９が締結バンド２から外れるのをより容易にする。
【００４９】
締結バンド２と締結ねじ部材９との間の引っ張り作用が充分に小さい場合、その場合には締結ねじ部材９をハウジング７の外側へとわずかに、すなわち拡大部１６がハウジングの外側に対して押し当たるようになるまで、これを図２ｂにて認識することができるように引っ張ることができる。この操作中またはこの操作の後、締結ねじ部材９を回動させることができ、突起１５が通過開口１９と共に回動中心を形成するようになっている。中間部１３がハウジング７の内側端縁２２に対して押し当たるようになるまで、この回動操作を継続させることができる。この角度位置において、締結ねじ部材９は締結バンド２から充分に遠く離れており、ねじ部１０が係合構造３から外れるようになっている。この係合が完全に外れていない場合であっても、締結バンド２をハウジング７の外に引っ張ることは依然として可能である。
【００５０】
逆に、誰かが締結器具１を締め付けることを望む場合、その場合には締結バンド２の第２の端５をハウジング７の引き通し開口２０に通して導く。ここで、締結ねじ部材９が初めに置かれる位置は重要ではない。締結ねじ部材９を図１ｂに例示した係合位置に位置させるため、係合構造３がねじ部１０と係合したならば、次に拡大部１６がハウジングの外側に対して押し当たって締結ねじ部材９を引き通し位置へと回動させることができるまで、締結ねじ部材９をその回転軸線に沿って移動させる。
【００５１】
例えば作業者が第２の端５を引っ張ることによってハウジング７を通る締結バンド２を充分に導いた場合、ねじ部材９に対する弱い圧力により、この圧力が締結ねじ部材９の回転軸線に沿って向けられているので、締結ねじ部材９を係合位置へと動かすことができる。この移動において、径増大部１４は傾斜内面２３に沿って滑動し、締結ねじ部材９を締結バンド２の方へと回動するように導く。さらなる移動において、円錐部１７が傾斜面１８に対して押し当たるようになり、ねじ部１０を締結バンド２の係合構造３と係合する状態へと導く。この係合は、通過開口１９で具体化した締付けねじ部材９の回動中心とねじ部１０との間のレバーアームが、回動中心と使用者が把持するねじり接触構造１２との間のレバーアームよりも短いので、相対的に大きい力を発生する。締結ねじ部材９と締結バンド２との間の係合がもたらされると、締結ねじ部材９をその回転軸線周りに回すことにより、締結器具１を単に締め付ることができるだけである。これにより、この回転軸線は突起１５を通り抜ける。
【００５２】
締結バンド２を金属から形成することができる。しかしながら、これをまた、プラスチックから形成することも可能である。同様に、ハウジング７もまた、金属またはプラスチックから形成することが可能である。同じことが締結ねじ部材９に対して該当する。材料の選択は、意図した使用目的に依存する。
【００５３】
前述の例が単なる説明の目的のために与えられ、本発明を限定するように決して解釈されないことに言及しておく。代表的な実施形態を参照して本発明を記述したけれども、ここで用いた用語は、限定するための用語ではなく、説明および例示のための用語であることに解釈される。その形態において本発明の範囲および精神から逸脱することなく、現在述べられ、また補正されるような添付の特許請求の範囲内にて変更を行うことができる。本発明を特定の手段および材料ならびに実施形態を参照してここに記述したけれども、ここに開示した事項に本発明が限定されることを意図しておらず、どちらかと言えば、本発明は添付した特許請求の範囲内にある如き、機能的に均等なすべての構造および方法ならびに使用方法に及ぶ。
【図１ａ】
2014142063.tif 000003
【図１ｂ】
2014142063.tif 000004
【図２ａ】
2014142063.tif 000005
【図２ｂ】
2014142063.tif 000006
【図３ａ】
2014142063.tif 000007
【図３ｂ】
2014142063.tif 000008
【外国語明細書】
2014142063000001.pdf